(57)【要約】      （修正有）【課題】暖簾や遮光カーテン、シートの押え、デッキの基礎、単なる重しなど多様な用途に対応可能な万能ウエイトセットを提供する。【解決手段】底面３を設置面と成形ブロックの上面２にネジ穴部４を有する万能ウエイト本体１、及び、ネジ穴部４に螺合するネジ部を先端に有し少なくともフック又は把手、中空パイプのいずれかの形状を有する取り付け部材からなる。【選択図】図１
2014001622.tif 000002
【特許請求の範囲】
【請求項１】
底面を設置面とする成形ブロックの上面にネジ穴部を有する万能ウエイト本体、及び、前記ネジ穴部に螺合するネジ部を先端に有し少なくともフック又は把手、中空パイプのいずれかの形状を有する取り付け部材からなることを特徴とする万能ウエイトセット。
【請求項２】
前記成形ブロックは、円錐形状又は多角錐形状であることを特徴とする請求項１に記載の万能ウエイトセット。
【請求項３】
前記成形ブロックは、蛙や熊その他のキャラクタを象った形状であることを特徴とする請求項１に記載の万能ウエイトセット。
【請求項４】
底面を設置面とする成形ブロックの上面にネジ穴部を有することを特徴とする万能ウエイト。
【請求項５】
前記成形ブロックは、円錐形状又は多角錐形状であることを特徴とする請求項４に記載の万能ウエイト。
【請求項６】
前記成形ブロックは、蛙や熊その他のキャラクタを象った形状であることを特徴とする請求項４に記載の万能ウエイト。
【発明の詳細な説明】
【技術分野】
【０００１】
本発明は、暖簾や遮光カーテン、シートなどの押さえ、竿を立てる支持台などに使用可能な万能ウエイトセットに関する。
【背景技術】
【０００２】
従来より、看板や柵、旗竿などの支持装置として種々のものが提案されている。例えば立て看板や柵、標識類の固定を目的とするものには、コンクリート又は合成樹脂、あるいは鋳物で成形した重石本体に差し込み穴を設け、工事用の立て看板や柵、標識類を倒れないように設置する固定重石の提案がある（例えば、特許文献１参照）。
【０００３】
また、雪庇防止体や看板などの建築物上面部に立設状態に設置する立設設置体に、直接又は支持部を介して設けられる接地体と、この接地体上に載置される重し体とからなる立設設置体支持装置の提案がある（例えば、特許文献２参照）。
【０００４】
さらには、旗やパラソル、看板などを取り付けた竿を起立するためのものとして、台座部と旗竿嵌入支柱部からなる支持体および、２個のコンクリートブロックの組み合わせで構成し、台座部の中央に起立した旗竿嵌入支柱部に旗竿を取り付けてソケットにより締め付けるようにした竿の起立装置の提案がある（例えば、特許文献３参照）。
【先行技術文献】
【特許文献】
【０００５】
【特許文献１】特開２００３−２７４３６号公報
【特許文献２】特開２００９−１３３１６０号公報
【特許文献３】特開２０１２−２７２８４号公報
【発明の概要】
【発明が解決しようとする課題】
【０００６】
上記のように従来のものは、それぞれ支持する対象に応じて特有の構成のものとして提案され用いられている。しかし、上記従来のものは、例えば店舗において、暖簾や遮光カーテンの押えとして、下端を重しに縛り付けて張るような場合に、その重しとしてそのままでは使用できない。
【０００７】
このような重しや押えとして必要なところはいろいろあるが、そのような種々の用途に簡便に対応できる、所謂万能ウエイトの提案はこれまでに見当たらない。
【０００８】
本発明は、上記課題を解決するものであって、暖簾や遮光カーテン、シートの押え、デッキの基礎、単なる重しなど多様な用途に対応可能な万能ウエイトセットを提供するものである。
【課題を解決するための手段】
【０００９】
そのために本発明は、底面を設置面とする成形ブロックの上面にネジ穴部を有する万能ウエイト本体、さらには、前記ネジ穴部に螺合するネジ部を先端に有し少なくともフック又は把手、中空パイプのいずれかの形状を有する取り付け部材からなることを特徴とし、前記成形ブロックは、円錐形状又は多角錐形状であり、蛙や熊その他のキャラクタを象った形状であることを特徴とする。
【発明の効果】
【００１０】
本発明によれば、底面を設置面とする成形ブロックの上面にネジ穴部を有する万能ウエイト本体、さらには、前記ネジ穴部に螺合するネジ部を先端に有し少なくともフック又は把手、中空パイプのいずれかの形状を有する取り付け部材からなるので、フックや把手、中空パイプの取り付け部材を適宜取り替え螺着することができ、暖簾や遮光カーテン、シートの押え、デッキの基礎、単なる重しなどの用途に応じた万能ウエイトを提供することができる。
【図面の簡単な説明】
【００１１】
【図１】本発明に係る万能ウエイトの実施形態を説明する図である。
【図２】万能ウエイト本体のネジ穴部に螺合する取り付け部材の形態を示す図である。
【図３】本発明に係る万能ウエイトの他の実施形態を説明する図である。
【発明を実施するための形態】
【００１２】
以下、本発明の実施形態を図面を参照しつつ説明する。図１は本発明に係る万能ウエイトの実施形態を説明する図である。図中、１は万能ウエイト本体、２は上面、３は底面、４はネジ穴部、５は凹み部を示す。
【００１３】
図１において、万能ウエイト本体１は、暖簾や遮光カーテン、シートなどの押さえ、竿を立てる支持台などに使用可能な相当の重量を有する、例えばコンクリートのブロックである。そのため、底面３を設置面とし、上面２には、ネジ穴部４が設けられる。ネジ穴部４は、先端にネジを有するフックやリング、竿支持パイプなどが螺合する雌ネジ部である。このネジ穴部４には、例えばボックスナットが埋め込まれる。
【００１４】
万能ウエイト本体１は、安定した設置面となる底面３、上面２のネジ穴部４を有する種々の形状として、図１（Ａ）に示す角柱形状のものだけでなく、円柱形状のものでもよいが、さらに安定性を高めるため、図１（Ｂ）に示す円錐体の形状や、図１（Ｃ）に示す四角錐体の形状にして、底面３の設置面積を広くするような形状にしてもよい。また、図１（Ｄ）は、底面３に凹み部５を設けたものであり、設置面に凸部がある場合に、この凸部に凹み部５が嵌合し、設置位置の固定、ズレの防止を目的として利用される。
【００１５】
図２は万能ウエイト本体のネジ穴部に螺合する取り付け部材の形態を示す図、図３は本発明に係る万能ウエイトの他の実施形態を説明する図である。図中、１１はフック部、１２、２２はネジ部、２１は把手部、３１は竿立てパイプ、３２、４２はワッシャ（座金）、３３は竿、４１はボルト、４３はフレーム、４４は底面凹部を示す。
【００１６】
図２において、図１に示した万能ウエイト本体１のネジ穴部４に螺合して用いるフック形取り付け部材の形態を示したのが図２（Ａ）であり、図１に示した万能ウエイト本体１のネジ穴部４に螺合して用いる把手形取り付け部材の形態を示したのが図２（Ｂ）である。フック部１１は、ネジ部１２が、把手部２１は、ネジ部２２がそれぞれ万能ウエイト本体１のネジ穴部４に螺合する。
【００１７】
図２（Ａ）に示すようなフック形取り付け部材は、万能ウエイト本体１のネジ穴部４に螺着することにより、例えば暖簾や遮光カーテン、シートなどの下端（裾）に取り付けられた紐を縛り付け、或いは下端（裾）に取り付けられた取り付け孔の金具を引っ掛けることができる。
【００１８】
図２（Ｂ）に示すような把手形取り付け部材は、万能ウエイト本体１のネジ穴部４に螺着することにより、例えば暖簾や遮光カーテン、シートなどの下端（裾）に取り付けられた紐を縛り付け、或いは下端（裾）に取り付けられたフック金具を引っ掛けることができ
る。また、このような把手形取り付け部材は、ゴミ置き場のシートの端や漬け物の上板に載せたりするのに、持ちやすく取り扱いやすい重しとして用いることができる。
【００１９】
本発明に係る万能ウエイトに旗などの棒状体（竿）を立てて固定するのに使用される取り付け部材の形態を示したのが図３（Ａ）である。竿立てパイプ３１は、取り付け部材として中空パイプの先端（底部）にネジ部を有し、このネジ部を万能ウエイト本体１のネジ穴部４に螺合させ、竿３３を中空パイプの上端開口から嵌入して立設するのに使用される。
【００２０】
また、デッキの基礎に万能ウエイト本体１が使用される形態を示したのが図３（Ｂ）である。フレーム４３は、デッキの下端フレームであり、ボルト４１をネジ穴部４に螺合、螺着させてデッキの下端フレームが万能ウエイト本体１に固定される。ワッシャ（座金）３２、４２は、螺合の緩みを生じにくくするために適宜用いられる。
【００２１】
上記実施の形態によれば、種々の用途に対応して、用いる取り付け部材を万能ウエイト本体１のネジ穴部４に螺合、螺着して取り替え、或いはボルトを用いてフレームを固定する、簡便な作業により、幟や看板の竿の立設に用いたり、暖簾や遮光カーテンなどの下端の押えに用いたり、グリーンカーテンの固定に用いたり、シートの押えの重しや漬け物の重しに用いたり、デッキの基礎に用いたりすることができる。
【００２２】
本発明は、上記実施の形態だけでなく、種々の変形が可能である。例えば上記実施の形態では、コンクリートブロックの万能ウエイトを説明したが、ウエイトとして使用できる程度の重さの素材であれば、コンクリートだけでなく、合成樹脂、鋳物、レンガ、セラミック、石、木などでもよい。
【００２３】
コンクリートは勿論、鋳物や合成樹脂のような、容易に型成形ができる素材を用いると、上記実施の形態に示した比較的単純な形状だけでなく、多様な形状のブロックの万能ウエイトを提供することができる。例えば使用目的、使用場所に応じて蛙や、熊、パンダ、梟、各種のキャラクタ等を象った成形ブロックからなる万能ウエイトとすることにより、見栄えよく質感のある置物としても使用することができ、また、形状の選択、異なる形状のものを並べて、万能ウエイトを置物と兼ねて使用することもできる。
【００２４】
また、万能ウエイト本体に螺合、螺着する取り付け部材は、丸いフック形や逆三角形の把手形だけでなく、フ字形やＴ字形、リング状その他の形状の取り付け部材を用いてもよいことはいうまでもない。
【符号の説明】
【００２５】
１…万能ウエイト本体、２…上面、３…底面、４…ネジ穴部、５…凹み部、１１…フック部、１２、２２…ネジ部、２１…把手部、３１…竿立てパイプ、３２、４２…ワッシャ（座金）、３３…竿、４１…ボルト、４３…フレーム、４４…底面凹部
【図１】
2014001622.tif 000003
【図２】
2014001622.tif 000004
【図３】
2014001622.tif 000005